(57)【特許請求の範囲】
【請求項１】
前面を出入口として上下左右壁及び後壁を有する箱型のユニットルームにおいて、前記出入口を形成する矩形の前端周枠部の各角部が、互いに独立した上下左右のＬ字枠材にて構成されると共に、前記の上下左右壁よりなるルーム胴部が、前後方向に沿う分割線によって複数個の胴部枠材に分割構成され、
前端周枠部の各角部に連結駒が嵌着され、この前端周枠部の上下左右のＬ字枠材同士がそれぞれ両端部を前記連結駒に螺合する上下左右の周枠連結ロッドを介して連結されてなることを特徴とするユニットルーム。
【請求項２】
前端周枠部の上下左右のＬ字枠材が同一形状である請求項１記載のユニットルーム。
【請求項３】
ルーム胴部の胴部枠材が前端周枠部のＬ字枠材に対応したＬ字形の縦断面形状を有する請求項１又は２に記載のユニットルーム。
【請求項４】
ルーム胴部が上下左右と共に前後にも分割構成されてなる請求項１〜３のいずれかに記載のユニットルーム。
【請求項５】
前端周枠部の上下のＬ字枠材間と左右のＬ字枠材間の少なくとも一方に介在する中間周枠材、ならびにルーム胴部の上下の胴部枠材間と左右の胴部枠材間の少なくとも一方に介在する中間胴枠材を具備してなる請求項１〜４のいずれかに記載のユニットルーム。
【請求項６】
前端周枠部のＬ字枠材とルーム胴部の胴部枠材が炭素繊維強化プラスチック成形物からなる請求項１〜５のいずれかに記載のユニットルーム。
【請求項７】
後壁部が、前端周枠部と同様に分割構成された後端周枠部と、該後端周枠部の内側開口部を封鎖する後端パネルとからなる請求項１〜６のいずれかに記載のユニットルーム。
【請求項８】
前端周枠部の各角部と後端周枠部の各角部との間に、前後連結ロッドが各々胴部枠材の一部を貫通して配設され、これら連結ロッドを介して両周枠部が引き付け固定されてなる請求項１〜７のいずれかに記載のユニットルーム。
【発明の詳細な説明】
【技術分野】
【０００１】  この発明は、簡易宿泊用のカプセルベッドを始めとして、就寝、休憩、災害時の一次避難、特殊環境での居住等に利用する個室空間を構成するユニットルームに関する。
【背景技術】
【０００２】  一般的に、カプセルベッドは、一端側が出入口として開口した横長の略直方体形状をなすＦＲＰ（繊維強化プラスチック）製のカプセル本体と、このカプセル本体を内側に納めて据え付けるためのアングル材等で縦横及び前後に組まれた鋼材製の支持フレームとで構成されている。そして、カプセル本体は、通常で正面側となって外観体裁を要する出入口周囲が一体成形物からなる矩形の開口周枠にて形成されると共に、胴部が幅方向中間部で二分した形の左右２枠材、もしくは各々半割した天井部又は床部を含む左右側枠と床枠又は天井枠との３枠材に分割構成されたものが多用されている。【０００３】  ところが、このような従来汎用のカプセルベッドでは、カプセル本体を構成する個々の枠材が非常に大きいことから、その成形コストが極めて高く付くと共に、製作に長時間を要し、設置場所への搬入にも困難をきたし、また輸送や保管においても嵩張って大きなスペースをとるといった難点があった。【０００４】  そこで、長手方向両端の端部パネルと、左右側壁の各前後２枚ずつの側部パネルと、各々複数枚の天井パネル及び床パネルとでカプセル本体を構成すると共に、端部パネル又は側部パネルの位置に出入口の開口部を設けたり（特許文献１）、カプセル本体の平面視の縦横比を１：２とし、その縦寸法に等しい幅のパネルを組み合わせてカプセル本体を構成し（特許文献２）、もって構成部材（パネル）のサイズを小さくすると共に種類を少なくすることも提案されている。
【特許文献１】  特開平１１−１８２０７８号公報
【特許文献２】  特開２００５−２４８５１５号公報
【発明の開示】
【発明が解決しようとする課題】
【０００５】  しかしながら、上記提案構成を含めて従来のカプセルベッドでは、カプセル本体の全体サイズか定まっているため、設置場所の広さと高さや壁面の出入り状況等に対応できず、特に既存の建物内に設置する場合に大きなデッドスペースを生じて空間効率が悪くなることが多く、また例えば大人と子供、力士やレスラーといった利用者の体格の違いに合わせた内部空間を設定できないという問題があった。無論、構成部材の大きさを変えることでカプセル本体の全体サイズを変更できるが、そのためには構成部材の種類毎に大きさの異なるものを取り揃えておく必要があり、経済性面からして非現実的である。【０００６】  一方、カプセル本体の胴部は概して薄板状の殻体をなすため、上記提案構成のように複数枚に分割したパネルは、ある程度の大きさであっても輸送や保管の際に相互に積み重ねて嵩を低減できる。しかるに、出入口を構成する開口周枠は、端枠として強度を要求されることに加え、手摺りやステップ等の付属部材の取付基体となり、また化粧枠として意匠的効果も求められるから、構造的に複雑で嵩高になる上、一般的に縦横１ｍ以上のサイズになるため、ＦＲＰ製の樹脂成形物、特に高強度のＣＦＲＰ（炭素繊維強化プラスチック）製の樹脂成形物として製作するのに成形コストが嵩むという難点がある。【０００７】  この発明は、上述の事情に鑑みて、前記カプセルベッドを始めとして種々の個室空間を構成するユニットルームとして、同じ構成部材を利用してルーム本体のサイズを簡易に変更できる上、出入口を構成する開口周枠をサイズの異なるルーム本体にわたる共通部材として且つ安価に製作できるものを提供することを目的としている。
【課題を解決するための手段】
【０００８】  上記目的を達成するために、請求項１に係る発明は、前面を出入口として上下左右壁及び後壁を有する箱型のユニットルームにおいて、出入口を形成する矩形の前端周枠部の各角部が、互いに独立した上下左右のＬ字枠材にて構成されると共に、上下左右壁よりなるルーム胴部が、前後方向に沿う分割線によって複数個の胴部枠材に分割構成され、前端周枠部の各角部に連結駒が嵌着され、この前端周枠部の上下左右のＬ字枠材同士がそれぞれ両端部を前記連結駒に螺合する上下左右の周枠連結ロッドを介して連結されてなることを特徴とする。【０００９】  請求項２の発明は、上記請求項１のユニットルームにおいて、前端周枠部の上下左右のＬ字枠材が同一形状である構成としている。【００１０】  請求項３の発明は、上記請求項１又は２のユニットルームにおいて、ルーム胴部の胴部枠材が前端周枠部のＬ字枠材に対応したＬ字形の縦断面形状を有する構成としている。【００１１】  請求項４の発明は、上記請求項１〜３のいずれかのユニットルームにおいて、ルーム胴部が上下左右と共に前後にも分割構成されてなるものとしている。【００１２】  請求項５の発明は、上記請求項１〜４のいずれかのユニットルームにおいて、前端周枠部の上下のＬ字枠材間と左右のＬ字枠材間の少なくとも一方に介在する中間周枠材、ならびにルーム胴部の上下の胴部枠材間と左右の胴部枠材間の少なくとも一方に介在する中間胴枠材を具備してなる構成としている。【００１３】  請求項６の発明は、上記請求項１〜５のいずれかのユニットルームにおいて、前端周枠部のＬ字枠材とルーム胴部の胴部枠材が炭素繊維強化プラスチック成形物からなるものとしている。【００１４】  請求項７の発明は、上記請求項１〜６のいずれかのユニットルームにおいて、後壁部が、前端周枠部と同様に分割構成された後端周枠部と、該後端周枠部の内側開口部を封鎖する後端パネルとからなるものとしている。【００１６】  請求項８の発明は、上記請求項１〜７のいずれかのユニットルームにおいて、前端周枠部の各角部と後端周枠部の各角部との間に、前後連結ロッドが各々胴部枠材の一部を貫通して配設され、これら連結ロッドを介して両周枠部が引き付け固定されてなるものとしている。
【発明の効果】
【００１７】  請求項１の発明によれば、ユニットルームの出入口を形成する前端周枠部の上下左右の各角部が各々独立したＬ字枠材にて構成されているから、上下左右のＬ字枠材のみの相互連結状態を最小として、上下又は／及び左右に対向するＬ字枠材間に適宜の幅の中間部材を介在する形で、前端周枠部の左右幅と高さを変更できると共に、この前端周枠部の左右幅と高さに対応して、ルーム胴部の左右幅と高さも分割構成された胴部枠材と適宜の幅の中間部材を利用して変更できる。従って、基本的な構成部材を共通にして、設置場所の状況に応じてデッドスペースが少なくなるように、当該ユニットルームの大きさを変えて空間効率を高めたり、利用者の体格の違いに対応して、同じ場所に大中小のようにサイズの異なるユニットルームを用意することができる。また、各Ｌ字枠材は前端周枠部の１／４以下の大きさになるから、その製作を小型の成形装置によって容易に行え、もって従来に比してユニットルームの製作コスト及び設備コストを格段に低減できると共に、構成部材の搬送や保管に際して嵩を著しく低減できる。しかも、前端周枠部を組み立てる際、各Ｌ字枠材の角部に嵌着された連結駒を周枠連結ロッドに螺合して締め付けることにより、Ｌ字枠材同士を容易に確実に連結できると共に、周枠連結ロッドを芯材として前端周枠部が高強度となる。【００１８】  請求項２の発明によれば、前端周枠部の上下左右の各角部を同じＬ字枠材にて構成できるから、該前端周枠部の組立作業が平準化されて操作容易になる上、構成部材の種類が少なくなり、部材製作コストを大幅に低減できる。【００１９】  請求項３の発明によれば、ルーム胴部の胴部枠材が前端周枠部のＬ字枠材に対応したＬ字形の縦断面形状を有するから、ユニットルームを組み立てる際に該胴部枠材とＬ字枠材とを容易に連結できる。【００２０】  請求項４の発明によれば、ルーム胴部が上下左右と共に前後にも分割構成され、それだけ胴部枠材のサイズが小さくなるから、その成形製作を容易に低コストで行えると共に、前後の胴部枠材間に中間部材を介在することにより、ユニットルームの前後長さ（奥行き）も変更可能となる。【００２１】  請求項５の発明によれば、前端周枠部に用いる中間周枠材とルーム胴部に用いる中間胴枠材として異なる幅のものを用意することにより、ユニットルームの左右幅及び高さの少なくとも一方を複数段階に変更できる。【００２２】請求項６の発明によれば、前端周枠部のＬ字枠材とルーム胴部の胴部枠材が炭素繊維強化プラスチック成形物からなるため、ユニットルームが高強度となる。【００２３】  請求項７の発明によれば、前端周枠部と後端周枠部とに共通のＬ字枠材を使用できるから、両周枠部の組立作業が平準化されてより操作容易になる上、構成部材の種類がより少なくなり、部材製作コストがより大幅に低減される。【００２５】  請求項８の発明によれば、前後連結ロッドにより前後端の周枠部が間に胴部枠材を挟んで引き付け固定されるから、ユニットルームの組み立てにおいて構成部材同士の前後方向の連結を容易に確実に行える。
【発明を実施するための最良の形態】
【００２６】  以下、この発明に係るユニットルームの実施形態について、図面を参照して具体的に説明する。図１はユニットルーム全体、図２は前後端の周枠部のＬ字枠材、図３は同周枠部の分解状態、図４は同周枠部の連結状態とフレーム構造、図５は胴部枠材、図６はルーム胴部の胴部枠材同士の連結部、図７はルーム胴部と前後端の周枠部との連結操作、図８は周枠連結ロッド及び前後連結ロッドの連結部、図９は胴部枠材とＬ字枠材との結合操作、図１０は図９（Ｂ）の仮想線円Ｍ内の拡大図、図１１は中間部材を用いたユニットルームの構成例、図１２は中間周枠材、図１３は中間胴枠材、をそれぞれ示す。【００２７】  図１に示すユニットルームＲ１は、最少の部材構成によって最小サイズとしたものであり、上下左右壁Ｗ１〜Ｗ４及び図では隠れた後壁Ｗ５（図７参照）を有する略横長直方体の箱型をなし、前面側が出入口Ｇとして開口している。しかして、出入口Ｇを形成する正方形の前端周枠部１Ａと後端周枠部１Ｂとは、同一構成であり、相互に独立した４個のＬ字枠材１０…が連結一体化されてなる。また、両周枠部１Ａ，１Ｂ間のルーム胴部２は、縦横幅に対して長さが略２倍の角筒状をなし、両周枠部１Ａ，１Ｂの各Ｌ字枠材１０に対応した縦断面Ｌ字形の胴部枠材２０が前後４個ずつの計８個で各々角筒の各稜部をなすように組み付けられてなる。【００２８】  前後端の周枠部１Ａ，１Ｂを構成する各Ｌ字枠材１０は、図２（Ａ）〜（Ｃ）で示すように、角部１０ａの表面側に三角形の浅い凹所１１が形成され、この凹所１１に表裏方向（前後方向）に透通する軸受孔１２を有すると共に、該軸受孔１２のボス部をなす内輪部１３ａと、同心の外輪部１３ｂと、内外輪間を放射状に結ぶ補強リブ１３ｃ…と、外輪部１３ｂから凹所１１の境界部に延びる３本の補強リブ１３ｄとが形成されている。一方、該角部１０ａより互いに直角に延出する両側片部１０ｂ，１０ｂには、その延出方向に沿って表面側及び外周面側に臨む凹陥部１３が形成され、各凹陥部１３に臨む縦壁部１４ａにねじ挿通孔１５，１５が穿設されている。【００２９】  また、Ｌ字枠材１０には、各側片部１０ｂの基部側で凹陥部１３に連続して且つ表面側のみに臨む凹溝部１３ａが設けてあり、この凹溝部１３ａの底壁部１４ｂとこれに対向する外周壁１４ｃとに、軸受孔１２の中心線と直交する中心線のロッド挿通孔１６ａ，１６ｂが開設されている。更に、Ｌ字枠材１０の内周縁から両端縁にわたり、裏面側へ突出する突縁部１４ｄを有し、この突縁部１４ｄの端縁が外周壁１４ｃの裏面側端縁に同レベルで繋がっている。【００３０】  前後端の周枠部１Ａ，１Ｂを組み立てるには、図３に示すように、同一構成の４個のＬ字枠材１０…を各々の角部１０ａが正方形の上下左右の角部に位置するように配置し、各Ｌ字枠材１０の角部１０ａの内側に略八角形の連結駒３を嵌合させると共に、上下及び左右に隣接するＬ字枠材１０，１０同士の各凹溝部１３ａのロッド挿通孔１６ａに、周枠連結ロッド４の互いに逆ねじとなる雄ねじ部４ａ，４ａを備えた両端部の一方を挿通し、その両端部の雄ねじ部４ａ，４ａを逆ねじによって両側の連結駒３，３のねじ孔３ａに同時に螺合して締め付けることにより、隣接するＬ字枠��１０，１０同士を引き付けて固定し、図４（Ａ）（Ｂ）で示すように全体を正方形に連結一体化する。しかして、この連結状態の周枠部１Ａ，１Ｂでは、図１及び図４（Ａ）に示すように、上下及び左右に隣接するＬ字枠材１０，１０同士で連続した凹陥部１３，１３において、周枠連結ロッド４の中間部が外側に露呈している。【００３１】  なお、連結駒３は、図８（Ａ）（Ｂ）の拡大断面で示すように、外形八角形の中央に太径の中心孔３ｂを有すると共に、該中心孔３ｂから外周面へ至る各９０度の位相差の３方向のねじ孔３ａを有しており、中心孔３ｂにおいてＬ字枠材１０のねじ挿通孔１２の内側ボス部１２ａに外嵌すると共に、内向き２方向のねじ孔３ａ，３ａに縦横の周枠連結ロッド４，４の雄ねじ部４ａ，４ａが螺合している。【００３２】  ルーム胴部２を構成する各胴部枠材２０は、図５（Ａ）（Ｂ）に示すように、略９０度に曲折した外殻板部２１の一端側に、その端縁全長に沿って内向きに張出した縁板部２２が一体形成されると共に、外殻板部２１の他端側近傍における曲折部の外面側に、前後方向に透通するロッド挿通孔２３を有するブラケット部２４が突設されてなる。そして、縁板部２２には、Ｌ字枠材１０の両側片部１０ｂ，１０ｂのねじ挿通孔１５…に対応したねじ挿通孔２５…が形成され、また該縁板部２２の外面側には、各ねじ挿通孔２５の十字補強リブ付きボス部２５ａ…と、内周縁に沿った二重の係合リブ２６ａと、両端縁に沿った一条の係合リブ２６ｂとが突設されている。更に、外殻板部２１の一側の側端縁に全長に渡って外側に臨む帯状の凹段部２７ａが、他側の側端縁に全長に渡って内側に臨む帯状の凹段部２７ｂがそれぞれ形成されると共に、縁板部２２の両端縁の一方に沿って外側に臨む帯状の凹段部２８ａが、他方に沿って内側に臨む帯状の凹段部２８ｂがそれぞれ形成されている。【００３３】  ルーム胴部２を組み立てるには、まず上下及び左右に隣接する４個の胴部枠材２０…を、端縁部同士で接着して角筒状に結合一体化し、もって該ルーム胴部２の前半体２ａと後半体２ｂ（図７参照）をそれぞれ作製する。このとき、隣接する胴部枠材２０，２０同士は、図６（Ａ）（Ｂ）で示すように、一方の外殻板部２１及び縁板部２２の外向きの凹段部２７ａ，２８ａと、他方の外殻板部２１及び縁板部２２の内向きの凹段部２７ｂ，２８ｂとを相互に重ね合わせ、これら重ね合わせ部分で接着剤を介して接合一体化する。この接合により、縁板部２２の両端縁では、図６（Ｂ）で示すように、両側の一条の係合リブ２６ｂ，２６ｂ同士が二重突縁状に接近して配置することになる。【００３４】  作製したルーム胴部２の前半体２ａと後半体２ｂは、ユニットルームＲ１の組み立てに際し、図７に示すように、縁板部２２とは反対側の端部同士で対接させ、その左右上下位置において、それぞれ対向する両半体２ａ，２ｂのブラケット部２４，２４のロッド挿通孔２３，２３ａに、両端に雄ねじ部５ａを設けた前後連結ロッド５を連通して配置させる。なお、前半体２ａと後半体２ｂとは予め突き合わせ端面で接着一体化していてもよい。また、後半体２ｂ側では、後端周枠部１Ｂの内側開口部を封鎖して後壁Ｗ５とするために、後半体２ｂの内側に後端パネル２９を配置しており、この後端パネル２９の中央側の正方形膨出部２９ａが外側（後方）へ突出している。【００３５】  ユニットルームＲ１を組み立てるには、図７に示すように、まずルーム胴部２の前後両端に、左右上下の前後連結ロッド５…を介して、前端周枠部１Ａと後端周枠部１Ｂをそれぞれ一体的に連結する。この連結操作は、ルーム胴部２のブラケット２４，２４に挿通させた各前後連結ロッド５の端部を、図８（Ｂ）で拡大して示すように、Ｌ字枠材１０の内側に嵌装した連結駒３の中心孔３ｂを貫通して、該Ｌ字枠材１０の軸受孔１２に挿通し、この軸受孔１２から外側へ突出した該連結ロッド５の雄ねじ部５ａに、外側から化粧袋ナット５１を螺合緊締し、もってルーム胴部２を間に挟んだ形で前後端の周枠部１Ａ，１Ｂを引き付けて固定すればよい。【００３６】  かくして前後連結ロッド５…を介して連結後、前後端の周枠部１Ａ，１Ｂとルーム胴部２とを更に直接にねじ止めする。このねじ止めは、図９（Ａ）の如く周枠部１Ａ，１Ｂ側のねじ挿通孔１５…に予めボルト１７ａ…を外側から挿入しておき、該周枠部１Ａ，１Ｂをルーム胴部２の前端に突き合わせる際に、これらボルト１７ａ…をルーム胴部２側のねじ挿通孔２５…に挿通させ、内側に突出した各ボルト１７ａの先端側に、図９（Ｂ）の如くワッシャ１８を介して袋ナット１７ｂを螺合緊締するが、隣接するＬ字枠材１０，１０同士ならびに胴部枠材２０，２０同士の連接強度を高めるために、該ねじ止め部分に補強材を介在させる。【００３７】  すなわち、図９に示す前端周枠部１Ａ側では、その上下左右の各位置において、隣接枠材間にわたる帯状の金属補強板６をルーム胴部２の内側に配し、各ボルト１７ａを該金属補強板６に設けた各ねじ挿通孔６ａに挿通した上で、袋ナット１７ｂを螺合緊締する。また、図示を省略した後端周枠部１Ｂ側では、金属補強板６の代わりに、ルーム胴部２の内側に後端パネル２９（図７参照）の周辺縁部を配置させ、該周辺縁部に設けたねじ挿通孔に各ボルト１７ａを挿通して袋ナット１７ｂを螺合緊締すればよい。【００３８】  なお、周枠部１Ａ，１Ｂとルーム胴部２との接合において、各Ｌ字枠材１０の内周縁に沿う突縁部１４ｄが、各胴部枠材２０の縁板部２２の内周縁に沿う二重の係合リブ２６ａの間に嵌入することにより、両者が位置決めされる。しかして、隣接するＬ字枠材１０，１０間では端縁に沿う突縁部１４ｄ，１４ａ同士が合接するが、図１０で示すように、その合接部分は隣接する胴部枠材２０，２０同士で二重突縁状に接近した係合リブ２６ｂ，２６ｂ間に嵌入する。【００３９】  上記構成のユニットルームＲ１では、前後端の周枠部１Ａ，１Ｂが各４個のＬ字枠材１０…に分割構成されると共に、ルーム胴部２も前半体２ａ及び後半体２ｂか各４個の胴部枠材２０…に分割構成され、これら構成部材の個々が小サイズになる上、全てのＬ字枠材１０…と全ての胴部枠材２０…が共に同一構成であるため、これら構成部材の成形製作が非常に容易になり、小型の成形装置によって低コストで量産できるから、特にこれら構成部材を高強度のＣＦＲＰ（炭素繊維強化プラスチック）製とする場合のコスト負担が従来に比して格段に少なくなる。また、上述のように周枠部１Ａ��１Ｂを構成するＬ字枠材１０…とルーム胴部２を構成する胴部枠材２０…に各々同一構成のものを使用するから、当該ユニットルームＲ１の組み立てに際し、各構成部材毎の使用位置が制約されず、同じ構成部材を上下左右及び前後のどの位置にも使用できる上、部材同士の組み付け形態も上下左右で同じであるから、作業操作が極めて簡単になり、熟練を要することなく短時間で非常に能率よく組み立てを行える。【００４０】  上述したユニットルームＲ１は、前後端の周枠部１Ａ，１Ｂを各４個のＬ字枠材１０…にて形成すると共に、ルーム胴部２の前半体２ａ及び後半体２ｂを各４個の胴部枠材２０…にて形成することにより、最少の部材構成としたものを例示している。しかるに、この発明によれば、該ユニットルームＲ１の周枠部１Ａ，１Ｂ及びルーム胴部２の構成部材を全て利用しながら、適宜の幅を持つ単純構造の中間部材を追加するだけで、例えば図１１で例示するように、全体及び出入口Ｇの左右幅と高さならびに奥行きが種々異なるユニットルームを構成できる。なお、図１１では周枠連結ロッドや前後連結ロッドを含む細部を省略して図示している。【００４１】  例えば、図１１（Ａ）で示すユニットルームＲ２は、前端周枠部１Ａ（後端周枠部１Ｂも同じ…以下同様）の上下両側で左右のＬ字枠材１０，１０間に各々中間周枠材７ａを介在させることにより、ルーム全体の左右幅を大きくしている。また、図１１（Ｂ）示すユニットルームＲ３は、前端周枠部１Ａの各角部を構成する４個のＬ字枠材１０…のそれぞれの間に中間周枠材７ｂを介在させることにより、ルーム全体の左右幅と高さを共に大きくしている。更に、図１１（Ｃ）に示すユニットルームＲ４は、前端周枠部１Ａの上下両側で左右のＬ字枠材１０，１０間に各々長い中間周枠材７ｃを介在させることにより、ルーム胴部の長手方向の側面全体を出入口Ｇの開口部としたものである。【００４２】  これらユニットルームＲ２〜Ｒ４の中間周枠材７ａ〜７ｃは、互いに長さが異なるだけで、図１２（Ａ）〜（Ｃ）に中間周枠材７として代表的に示すように、いずれもＬ字枠材１０における側片部１０ｂの凹陥部１３のある先端側を延長した形態である。すなわち、中間周枠材７は、表面側に長手方向全長に渡る凹段部７１を有することにより、縦断面Ｌ字状をなし、該凹段部７１の片側側面部７１ａには表裏方向に透通するねじ挿通孔７２，７２が設けられると共に、裏面側の全周縁が突縁７３をなしている。しかして、凹段部７１はＬ字枠材１０の凹陥部１３の延長部に相当し、ねじ挿通孔７２もＬ字枠材１０のねじ挿通孔１５に対応する。【００４３】  また、図示を省略しているが、これらユニットルームＲ２〜Ｒ４のように前後端の周枠部１Ａ，１Ｂに中間周枠材７（７ａ〜７ｃ）を用いた場合、ルーム胴部２側でも隣接する胴部枠材２０，２０間に中間周枠材７（７ａ〜７ｃ）と同幅の中間部材を介在させる必要がある。このような中間部材は、図１３で中間同部材８として代表的に示すように、平板状の外殻板部８０の一端側に縁板部８１が内向きに張設され、該縁板部８１に中間周枠材７のねじ挿通孔７２に対応するねじ挿通孔８２を有するものであり、Ｌ字形に曲折した胴部枠材２０の片側部を延長した形態に相当する。しかして、中間同部材８の縁板部８１の表面側には、胴部枠材２０の縁板部２２と同様に、各ねじ挿通孔８２の十字補強リブ付きボス部８３…と、下縁に沿った二重の係合リブ８４ａと、両端縁に沿った一条の係合リブ８４ｂとが突設され、中間周枠材７の突縁７３との係合による位置決めを行えるようになっている。なお、一側の側端縁には外側に臨む帯状の凹段部８５ａが、他側の側端縁には内側に臨む帯状の凹段部８５ｂがそれぞれ全長に渡って形成され、もって両側に配置する胴部枠材２０に対して端縁部同士で嵌合できるようにしている。【００４４】  更に、図１１（Ｄ）で示すユニットルームＲ５は、ルーム胴部２における前後の胴部枠体２０，２０間に中間胴枠材９を介在することにより、当該ルーム胴部２の長さ（内部空間の奥行き）を増やしている。この場合の各中間胴枠材９は、胴部枠体２０のＬ字形に曲折した外殻板部２１に相当する単純な形態でよい。【００４５】  この発明のユニットルームは、上述のように中間部材の使用によって図１１（Ａ）〜（Ｄ）を含む多様な形態及びサイズに設定できるから、例えばカプセルベッドとして使用者の体格に合わせたり、他の各種の用途において利用目的に応じた内部空間の広さ、幅、高さ、奥行きを設定することができ、また設置空間の広さと周辺状況に合わせてデッドスペースができるだけ少なくなるようなサイズとその組み合わせ構成を採択できる。しかしてこの発明では、中間部材以外は共通の構成部材を使用できる上、中間部材は概して単純な構造でよいから、多様な形態及びサイズのユニットルームを安価に提供できる。【００４７】  なお、ルーム胴部２においては、内部の壁面にテレビやビデオの如き映像ユニット、時計、ラジオ、照明設備、換気扇、温度センサー、警報機、スイッチ類等、様々な機能要素を付設することが普通であるため、これらの付設のために胴部枠材２０として部位によって異なる構成のものを用いてもよいことは言うまでもない。また、ルーム胴部２については、前後端の周枠部１Ａ，１Ｂのように角部毎に独立した部材に分割構成する形に限らず、前記の機能要素の付設等に対応して、例えば上下左右壁Ｗ１〜Ｗ４毎に分離したパネルや、上下左右壁Ｗ１〜Ｗ４の各々を更に前後方向に複数分割した帯状パネル等に分割構成してもよい。一方、例示した実施形態では前後連結ロッド５を用いているが、周枠部１Ａ，１Ｂとルーム胴部２との連結には前後連結ロッド５以外の様々な連結手段を採用できる。また、ルーム胴部２における胴部枠材２０，２０同士の結合についても、例示した接着剤による接合に限らず、ねじ止め、溶着、鋲止め、係着等、種々の結合手段を利用できる。【００４８】  この発明のユニットルームは、構成部材が小型で種類を非常に少なくでき、分解状態での搬送や保管に有利で且つ組立・分解も簡単であるから、既述のカプセルベッドの他、船舶用の簡易船室、病院や事務所における職員用の休憩・仮眠室、災害時等に一時的に利用する可搬式ルーム、宇宙ステーションや海中基地における居住室、高山や極地での宿泊・避難施設等、極めて多岐にわたる用途に好適に供し得る。従って、各構成部材の材質についても、ＦＲＰ以外の種々の樹脂材料、紙材を含む各種繊維材料、金属材料���セラミック、これらの積層・ラミネート材等、用途に応じて適宜選択できる。
【図面の簡単な説明】
【００４９】
【図１】  この発明の一実施形態に係るユニットルーム全体の斜視図である。
【図２】  同ユニットルームに用いるＬ字枠材を示し、（Ａ）は正面図、（Ｂ）は側面図、（Ｃ）は（Ａ）のＣ−Ｃ線の断面矢視図である。
【図３】  同ユニットルームにおける前後端の周枠部の分解斜視図である。
【図４】  同周枠部の連結状態を示し、（Ａ）は周枠部の正面図、（Ｂ）はフレーム構造の正面図である。
【図５】  同ユニットルームに用いる胴部枠材を示し、（Ａ）は正面図、（Ｂ）は側面図である。
【図６】  同ユニットルームにおける胴部枠材同士の連結状態を示し、（Ａ）は外殻板部における連結部分の縦断面図、（Ｂ）は縁板部における連結部分の横断面図である。
【図７】  同ユニットルームのルーム胴部と前後端の周枠部との連結操作を示す平面図である。
【図８】  同周枠部における連結ロッド及び前後連結ロッドの連結部を示し、（Ａ）は縦断正面図、（Ｂ）は（Ａ）のＢ−Ｂ線の断面矢視図である。
【図９】  同ユニットルームにおける胴部枠材とＬ字枠材との結合操作を示し、（Ａ）は結合前の横断平面図、（Ｂ）は結合後の横断平面図である。
【図１０】  図９（Ｂ）の仮想線縁Ｍ内の拡大図である。
【図１１】  この発明に係るユニットルームの他の構成例を示し、（Ａ）はユニットルームＲ２の概略正面図、（Ｂ）はユニットルームＲ３の概略正面図、（Ｃ）はユニットルームＲ４の概略側面図、（Ｄ）はユニットルームＲ５の概略側面図である。
【図１２】  この発明のユニットルームに用いる中間周枠材を示し、（Ａ）は正面図、（Ｂ）は側面図、（Ｃ）は（Ａ）のＣ−Ｃ線の断面矢視図である。
【図１３】  この発明のユニットルームに用いる中間胴枠材を示し、（Ａ）は正面図、（Ｂ）は側面図である。
【符号の説明】
【００５０】  １Ａ・・・・・前端周枠部
１Ｂ・・・・・後端周枠部
１０・・・・・Ｌ字枠材
１０ａ・・・・角部
１０ｂ・・・・側片部
２・・・・・・ルーム胴部
２０・・・・・胴部枠材
２９・・・・・後端パネル
３・・・・・・連結駒
３ａ・・・・・ねじ孔
４・・・・・・周枠連結ロッド
４ａ・・・・・雄ねじ部
５・・・・・・前後連結ロッド
５ａ・・・・・雄ねじ部
７・・・・・・中間周枠材
７ａ〜７ｃ・・中間周枠材
８，９・・・・中間胴枠材
Ｇ・・・・・・出入口
Ｒ１〜Ｒ５・・ユニットルーム
Ｗ１・・・・・上壁
Ｗ２・・・・・下壁
Ｗ３・・・・・左壁
Ｗ４・・・・・右壁
Ｗ５・・・・・後壁
【図１】
0005348453.tif 000002
【図２】
0005348453.tif 000003
【図３】
0005348453.tif 000004
【図４】
0005348453.tif 000005
【図５】
0005348453.tif 000006
【図６】
0005348453.tif 000007
【図１０】
0005348453.tif 000008
【図７】
0005348453.tif 000009
【図８】
0005348453.tif 000010
【図９】
0005348453.tif 000011
【図１１】
0005348453.tif 000012
【図１２】
0005348453.tif 000013
【図１３】
0005348453.tif 000014